(57)【要約】炭酸飲料を含むボトル（２０）のための蓋（２２）に関する。蓋（２２）は、内側部（２８）および外側部（２４）を含む。内側部（２８）は、ボトル（２０）の先端部の一部を受け入れるように適応されており、蓋（２４）の縦軸に対して傾斜した、外側に突出する複数の第一カム面（３２）を包含する。外側部（２４）は、内側部（２８）に実質的に被さってはまるように適応されており、外側部（２４）は、蓋の縦軸に対して傾斜した、内側に突出する複数の第二カム面（３４）を包含する。外側部（２４）は、内側部（２８）が先端部から離脱しないように外側部（２４）の少なくとも一部が内側部（２８）の少なくとも一部を首部に接触させて付勢する閉位置、および、内側部（２８）が先端部から離脱する開位置、の間を内側部（２８）に相対して移動可能である。外側部（２４）が閉位置にある場合：外側部（２４）に対して内側部（２８）から相対的に離れるように縦方向に向けられた力を適用することで、第一カム面（３２）が第二カム面（２４）から相対的に縦方向に離れて進むように、外側部（２４）を開位置へ向けて内側部（２８）に相対して縦方向へ動かし；外側部（２４）を内側部（２８）に相対して縦軸周りの第一方向へねじることで、第二カム面（３４）が第一カム面（３２）に沿って相対的に進むように、内側部（２８）および外側部（２４）を開位置へ向けて縦方向に駆動する。【選択図】図５
2013502354.tif 000002
【特許請求の範囲】
【請求項１】
炭酸飲料を収容するボトルのための蓋であって、
前記ボトルの先端の部分を受け入れるように適応された内側部であって、前記蓋の縦軸に対して傾斜した、外側に突出する複数の第一カム面を包含する、前記内側部；および、
前記内側部に実質的に被さってはまるように適応された外側部であって、前記外側部は、前記蓋の縦軸に対して傾斜した、内側に突出する複数の第二カム面を包含し、前記外側部は、前記内側部が前記先端部から離脱しないように前記外側部の少なくとも一部が前記内側部の少なくとも一部を首部に接触させて付勢する閉位置、および、前記内側部が前記先端部から離脱する開位置、の間を前記内側部に相対して移動可能である、前記外側部、
を含み、
前記外側部が閉位置にある場合：前記外側部に対して前記内側部から相対的に離れるように縦方向に向けられた力を適用することで、前記第一カム面が前記第二カム面から相対的に縦方向に離れて進むように、前記外側部を前記開位置へ向けて前記内側部に相対して縦方向へ動かし；前記外側部を前記内側部に相対して縦軸周りの第一方向へねじることで、前記第二カム面が前記第一カム面に沿って相対的に進むように、前記内側部および前記外側部を前記開位置へ向けて縦方向に駆動する、前記蓋。
【請求項２】
外側部が開位置にある場合：前記外側部に対して前記内側部に向けて相対的に縦方向に向けられた力を適用することで、前記第一カム面が前記第二カム面に向けて相対的に縦方向に進むように、前記外側部が前記開位置へ向けて相対的に縦方向に動かすと同時に、前記第二カム面が前記第一カム面に沿って相対的に進むように、前記外側部を前記内側部に相対して縦軸周りに前記第一方向と反対の第二方向にねじる、請求項１に記載の蓋。
【請求項３】
第一カム面が、間隔を介して周囲にある、請求項１または２に記載の蓋。
【請求項４】
第一カム面が、等間隔に間隔を介して周囲にある、請求項３に記載の蓋。
【請求項５】
第二カム面が、間隔を介して周囲にある、請求項３に記載の蓋。
【請求項６】
第二カム面が、等間隔に間隔を介して周囲にある、請求項３に記載の蓋。
【請求項７】
第一および第二カム面が、縦方向において重なっていない、請求項１〜６のいずれか一項に記載の蓋。
【請求項８】
内側部が、第一カム面の間のそれぞれに、外側に突出する複数の第三カム面を包含する、請求項１〜７のいずれか一項に記載の蓋。
【請求項９】
外側部が、第二カム面の間のそれぞれに、内側に突出する複数の第四カム面を包含する、請求項８に記載の蓋。
【請求項１０】
第三カム面が、間隔を介して周囲にある、請求項８または９に記載の蓋。
【請求項１１】
第三カム面が、等間隔に間隔を介して周囲にある、請求項１０に記載の蓋。
【請求項１２】
第四カム面が、間隔を介して周囲にある、請求項９に記載の蓋。
【請求項１３】
第四カム面が、等間隔に間隔を介して周囲にある、請求項１２に記載の蓋。
【請求項１４】
第一カム面および第二カム面の数が同じである、請求項１〜１３のいずれか一項に記載の蓋。
【請求項１５】
第三カム面および第四カム面の数が同じである、請求項９〜１４のいずれか一項に記載の蓋。
【請求項１６】
第一カム面、第二カム面、第三カム面および第四カム面の数が同じである、請求項１５に記載の蓋。
【請求項１７】
第一カム面、第二カム面、第三カム面および第四カム面が真っ直ぐである、請求項９〜１６のいずれか一項に記載の蓋。
【請求項１８】
第三カム面および第四カム面が縦軸に平行である、請求項１７に記載の蓋。
【請求項１９】
第三カム面および第四カム面がそれぞれ、第一カム面および第二カム面のその反対方向において、縦軸に対して傾斜している、請求項１７に記載の蓋。
【請求項２０】
第一カム面、第二カム面、第三カム面および第四カム面が曲がっている、請求項８〜１６のいずれか一項に記載の蓋。
【請求項２１】
ボトルの上方からボトルの首部に向けて見る場合、第一方向が反時計回りである、請求項１〜２０のいずれか一項に記載の蓋。
【請求項２２】
第二方向が時計周りである、請求項２１に記載の蓋。
【請求項２３】
第一カム面および第三カム面が、内側部上の外表面の周りにおいて末端同士で連結している、請求項８〜２２のいずれか一項に記載の蓋。
【請求項２４】
第一カム面および第三カム面が、内側部上の外表面の周りにおいて、実質的に連続的なのこぎり状構造で、末端同士で連結されている、請求項２３に記載の蓋。
【請求項２５】
等角度で間隔を介した９つの第一カム面および第二カム面がある、請求項１〜２４のいずれか一項に記載の蓋。
【請求項２６】
第二カム面および第四カム面が、外側部上の内表面の周りに位置する、請求項９〜２５のいずれか一項に記載の蓋。
【請求項２７】
第二カム面および第四カム面が、実質的に間隔を介したのこぎり状構造で、外側部上の内表面の周りに位置する、請求項２６に記載の蓋。
【請求項２８】
９つの等角度間隔の第三カム面および第四カム面がある、請求項２５〜２７のいずれか一項に記載の蓋。
【請求項２９】
第一カム面および第三カム面が、縦軸に対して約４５°の角度を有している、請求項９〜２８のいずれか一項に記載の蓋。
【請求項３０】
第一カム面および第三カム面が、内側に面する頂部上に形成される、請求項９〜２９のいずれか一項に記載の蓋。
【請求項３１】
頂部が、縦方向に突出する補強部を包含する、請求項３０に記載の蓋。
【請求項３２】
第二カム面および第四カム面が、外側に面する複数の三角形の隆起部上に形成される、請求項９〜３１のいずれか一項に記載の蓋。
【請求項３３】
蓋が、外側部に接続された第一端およびボトルの首部に解放可能に接続された第二端を有する外側巻き部を包含し、それにより外側部材が閉位置から開位置へ動くことができるように、前記周辺部およびボトルの間の接続が解放される、請求項１〜３２のいずれか一項に記載の蓋。
【請求項３４】
巻き部がティアーストリップである、請求項３３に記載の蓋。
【請求項３５】
巻き部が、手動で開封可能なティアーストリップである、請求項３４に記載の蓋。
【請求項３６】
ティアーストリップが、ボトルの首部の周りにらせん状に巻かれている、請求項３４または３５に記載の蓋。
【請求項３７】
ティアーストリップが、第二ねじり方向に解放する、請求項３６に記載の蓋。
【発明の詳細な説明】
【技術分野】
【０００１】
本発明は、炭酸飲料を収容するボトルのための蓋に関する。
本発明は、主としてスパークリングワインを収容するボトルに使用するために開発されたものであり、以下ではその応用に関連して説明される。しかしながら本発明は、当業者には、この特定の応用に限定されるものではないことはすぐに理解され、スパークリングジュース、シャンパン、サイダーおよびスパークリングウォーターを包含する、他の炭酸飲料を収容するボトルへの使用にも適している。
【背景技術】
【０００２】
本出願人による出願番号ＰＣＴ／ＡＵ２００７／００１１６１（公開番号ＷＯ２００８／０１９４４３）は、コルク栓、スクリューキャップ蓋および人工コルク栓代替品に代わる、炭酸飲料のボトルのための蓋のいくつかの態様を開示している。開示されている蓋は、ボトルの先端部部分を受け入れる内側部、および内側部の上に整合する外側部を有する。外側部は、内側部が安全にボトルに締め付けられる閉位置、および、内側部を、したがって蓋をボトルから取り除くことができる開位置の間を、内側部に相対して動くことができる。
【０００３】
上記ＰＣＴ出願に開示された態様の殆どにおいて、縦軸に沿った内側部および外側部の間の蓋の相対運動は、外側部を２つの位置の間で動かすことにより達成される。１つの態様（図１３）において、外側部を２つの位置の間で動かすためには、縦軸周りにおける内側部および外側部の間の相対ねじり運動が必要である。
【０００４】
本発明の目的は、上記ＰＣＴ出願に開示された態様と比較して、特に簡単で直感的な使用が可能な、改良された蓋を提供することにある。
【発明の開示】
【０００５】
したがって、第一の観点において、本発明は炭酸飲料のボトルのための蓋を提供し、蓋は：
前記ボトルの先端の部分を受け入れるように適応された内側部であって、前記蓋の縦軸に対して傾斜した、外側に突出する複数の第一カム面を包含する、前記内側部；および、
前記内側部に実質的に被さってはまるように適応された外側部であって、前記外側部は、前記蓋の縦軸に対して傾斜した、内側に突出する複数の第二カム面を包含し、前記外側部は、前記内側部が前記先端部から離脱しないように前記外側部の少なくとも一部が前記内側部の少なくとも一部を首部に接触させて付勢する閉位置、および、前記内側部が前記先端部から離脱する開位置、の間を前記内側部に相対して移動可能である、前記外側部、
を含み、
前記外側部が閉位置にある場合：前記外側部に対して前記内側部から相対的に離れるように縦方向に向けられた力を適用することで、前記第一カム面が前記第二カム面から相対的に縦方向に離れて進むように、前記外側部を前記開位置へ向けて前記内側部に相対して縦方向へ動かし；前記外側部を前記内側部に相対して縦軸周りの第一方向へねじることで、前記第二カム面が前記第一カム面に沿って相対的に進むように、前記内側部および前記外側部を前記開位置へ向けて縦方向に駆動する。
【０００６】
好ましくは、外側部が開位置にある場合：前記外側部に対して前記内側部に向けて相対的に縦方向に向けられた力を適用することで、前記第一カム面が前記第二カム面に向けて相対的に縦方向に進むように、前記外側部が前記開位置へ向けて相対的に縦方向に動かすと同時に、前記第二カム面が前記第一カム面に沿って相対的に進むように、前記外側部を前記内側部に相対して縦軸周りに前記第一方向と反対の第二方向にねじる。
【０００７】
第一カム面は、好ましくは間隔を介して周囲にあり、より好ましくは等間隔である。第二カム面は、好ましくは間隔を介して周囲にあり、より好ましくは等間隔である。
第一および第二カム面は、好ましくは縦方向において重なっていない。
【０００８】
内側部は、好ましくは第一カム面の間のそれぞれに、外側に突出する複数の第三カム面を包含する。外側部は、好ましくは第二カム面の間のそれぞれに、内側に突出する複数の第四カム面を包含する。第三カム面は、好ましくは間隔を介して周囲にあり、より好ましくは等間隔である。第四カム面は、好ましくは間隔を介して周囲にあり、より好ましくは等間隔である。
【０００９】
第一カム面および第二カム面の数は、好ましくは同じである。第三カム面および第四カム面の数は、好ましくは同じである。第一カム面、第二カム面、第三カム面および第四カム面の数は、好ましくは同じである。
【００１０】
一つの形態において、第一カム面、第二カム面、第三カム面および第四カム面は、真っ直ぐである。この形態のもう１つの形において、第三カム面および第四カム面は、縦軸に平行である。この形態の他の形において、第三カム面および第四カム面がそれぞれ、第一カム面および第二カム面のその反対方向において、縦軸に対して傾斜している。
【００１１】
他の形態において、第一カム面、第二カム面、第三カム面および第四カム面は曲がっている。
第一方向は、ボトルの上方からボトルの首部に向けて見る場合、好ましくは反時計回りである。第二方向は、時計周りである。
第一カム面および第三カム面は、好ましくは内側部上の外表面の周りにおいて末端同士で連結、より好ましくは、実質的に連続的なのこぎり状構造で末端同士で連結している。好ましくは、等角度で間隔を介した９つの第一カム面および第二カム面がある。
【００１２】
第二カム面および第四カム面は、好ましくは外側部上の内表面の周りに位置、より好ましくは、実質的に間隔を介したのこぎり状構造で位置している。好ましくは９つの等角度で間隔を介した第三カム面および第四カム面がある。
第一カム面および第三カム面は、好ましくは縦軸に対して約４５°の角度を有している。
【００１３】
第一カム面および第三カム面は、好ましくは内側に面する頂部上に形成される。頂部は、好ましくは縦方向に突出する補強部を包含する。第二カム面および第四カム面は、好ましくは外側に面する複数の三角形の隆起部上に形成される。
【００１４】
蓋は、好ましくは外側部に接続された第一端およびボトルの首部に解放可能に接続された第二端を有する外側巻き部を包含し、外側部材が閉位置から開位置へ動くことができるためには、前記巻き部とボトルとの間の接続は解放されなければならない。
【００１５】
巻き部は、好ましくはティアーストリップであり、たいへん好ましいのは手で開封可能である。ティアーストリップは、好ましくはボトルの首部の周りにらせん状に巻かれており、より好ましくは、第二ねじり方向に解放する。
【図面の簡単な説明】
【００１６】
本発明の好ましい態様は、以下の図面を一例として参照して説明される。
【図１】図１は、第一の態様の蓋が適用された、炭酸飲料ボトルの正面図である。
【図２】図２は、図１に表されたボトルおよび蓋の断面図である。
【図３】図３は、巻き部が取り除かれた後に、内側部に相対して外側部が閉位置にある、図１のボトルおよび蓋を表した図である。
【図４】図４は、内側部に相対して外側部が開位置にある、図３のボトルおよび蓋を表した図である。
【００１７】
【図５】図５は、図１に表された蓋の分解斜視図である。
【図６】図６は、図１に表された蓋の内側部の垂直断面図である。
【図７】図７は、図６に表された内側部の上方斜視図である。
【図８】図８は、図１に表された蓋の外側部の断面図である。
【００１８】
【図９】図９は、巻き部が取り除かれた後の、図８に表された蓋の外側部の断面図である。
【図１０】図１０は、図８に表された外側部の上方斜視図である。
【図１１】図１１は、閉位置における、図８に表された内側部の側面図および外側部の部分側面図である。
【図１２】図１２は、開位置における、図６に表された内側部の側面図および図８に表された外側部の部分側面図である。
【００１９】
【図１３】図１３は、第二の態様の内側部の側面図である。
【図１４】図１４は、図１３に表された内側部の上方斜視図である。
【図１５】図１５は、閉位置における、図１３に表された内側部の側面図および図８に表された外側部の一部の部分側面図である。
【図１６】図１６は、開位置における、図１３に表された内側部の側面図および図８に表された外側部の部分側面図である。
【図１７】図１７は、第三の態様の内側部の部分上方斜視図である。
【００２０】
実施形態の詳細な説明
さらなる理解のために、スパークリングワインまたはシャンパン等の炭酸飲料のためのボトルのデザインは比較的に標準化されており、パント（punt）として知られる下端部；ラベルパネル（label panel）として知られる、実質的に円筒状でパントに隣接した比較的広い部分；首部として知られるラベルパネルから上方、内側にテーパー状の部分；および、先端部として知られる首部の上部からボトルの上部の部分；を包含する。先端部は、その下端にワイヤまたはミュズレ（muselet）ビード（bead）を、その上端にクラウンビード（crown bead）を含む。クラウンビードに隣接するボトル開口は、ボア（bore）を介してボトルの内部空洞と連絡する口部として知られている。ワイヤまたはミュズレビードは、しばしばＣＥＴＩＥ（Centre Technique International de l'Embouteillage et du Conditionnement）バンドと称される。
【００２１】
図１は、第一の態様の蓋２２が適用された炭酸飲料ボトル２０を表す。蓋２２は、外側部２４、壊れやすく剥離可能なストリップ２６の形式の巻き部、および、内側部２８を包含し、後者は図２および図４において可視的である。プラグシール３０およびフォイルシール３２は、図２において見えている。外側部２４、内側部２８、ストリップ２６およびプラグシール３０はすべて、低密度のポリエチレンのような可撓性および弾力性のあるプラスチック材料から形成される。
【００２２】
図３は、ストリップ２６が取り除かれた後の、内側部に相対して閉位置にある外側部２４を備えたボトル２０および蓋２２を表す。下記に詳細に示されるように、閉位置において、外側部２４の一部は、内側部２８の一部をボトル２０の先端部と嵌合するように付勢する。
【００２３】
図４は、内側部２８に相対して開位置にある場所に移動した外側部２４を表す。下記により詳細に示されるように、開位置において、内側部２８は、ボトル２０の先端部と嵌合するように付勢されておらず、内側部２８および外側部２４は取り外し可能となっている。
【００２４】
図５は、蓋２２の構成部品をより詳細に表す。
図６および図７によく示されるように、内側部２８は、その周囲に９つの第一カム面３２が間隔を介して外側に突出する円筒体３０を有する。第一カム面３２は、円筒体３０の周囲を囲むように等角度で間隔を介しており、蓋２２の縦軸に対してそれぞれ約４５°の角度を有している。第一カム面３２のそれぞれの上端は、９つの第三カム面３４のそれぞれを介して、隣接する第一カム面３２のそれぞれの下端に接続される。第三カム面３４は、蓋の縦軸に対して実質的に平行である。第一カム面３２および第三カム面３４はしたがって、一般的に間隔を介したのこぎり状構造に配置される。
【００２５】
内側部３０はまた、円筒状ボタン３６、９つの先端部保持フィンガー３８および９つのテーパー状ストップ４０を包含し、これら構成の機能は下記に示される。フィンガー３８のそれぞれは、クラウンシール（crown seal）およびＣＥＴＩＥバンドの間の先端部にぴったりと接触して据え付く内側に円形の表面を有し、その近位端は本体３０に接続される。図７に示されるように、円筒状ボタン３６は、重さおよび材料使用量を最小にすると同時に縦強度を維持するために、一連の薄い放射状のストリップ４２を介して、円筒体３０に接続される。
【００２６】
図８〜１０に示されるように、外側部２４は、その周囲に９つの第二カム面３４が間隔を介して内側に突出する内側円柱面４３を包含する。第二カム面４４は、蓋２２の縦軸に対して約４５°の角度を有する。第二カム面３４のそれぞれの端部は、蓋の縦軸に対して実質的に平行である９つの第四カム面４６のそれぞれを介して接続される。第二カム面３４および第四カム面４６はしたがって、間隔を介した一般的なのこぎり状構造に配置される。縦方向に突出するリブ５０もまた、面４３から内側に突出する。
【００２７】
外側部２４はまた、内側部２８のボタン３６を受け入れるように適応された円筒状開口部５２を包含する。内側部２４はまた、内側に面するフランジ５４を包含し、その機能は下記に説明される。
明確および簡単な説明のために、蓋２２の使用方法は、特に外側部２４が部分的にだけ示される図１１および図１２を参照して説明される。
【００２８】
図１１は、閉位置における第一部２４および第二部２８を表す。閉位置において、フランジ５４は、先端部保持フィンガー３８を内側に押すことによって、内側部２８、したがって蓋２２をボトル２０に固定する。言い換えれば、フランジ５４は、フィンガー３８がボトル２０のクラウンビード（crown bead）を越えて外側に曲がり過ぎるのを防ぐ。
【００２９】
図１２は、開位置にある内側部２４および外側部２８を表し、フランジ５４はフィンガー３８から移動して離れており、したがって内側部２８をボトル２０から取り外す間に、それらが外側に曲がることを許容する。開位置においては、フランジ５４は、ストップ４０の上端およびカム面３２、３４の下側の間に位置する。ボトル２０への再適用のために、これは内側部２４および外側部２８を正確に位置決めする。蓋２２をボトル２０から取り外す場合に、不注意に閉位置に置かれると、開口部５２を介してボタン３６を押すことで、それをボトルへの再適用に適した開位置に戻すことができる。
【００３０】
第一カム面３２および第二カム面４４は、それぞれ約９ｍｍの長手寸法を有する。外側部２４は、開位置および閉位置の間を縦方向に約８１／２ｍｍ進む。これは、隣接する第一カム面３２および第二カム面４４の組の相対的位置が、開位置および閉位置の両方において保持されることを保証する。言い換えれば、内側部２８および外側部２４は、互いに相対的に最大約４０°だけ回転することができる。
【００３１】
コルク栓蓋を備えるスパークリングワイン等の炭酸飲料のボトルは、伝統的に２つの方法のいずれかにより開けることができる。第一の方法は、左右へのわずかなロッキング運動を伴い、コルク栓を縦方向に付勢することを含む。この方法は、ボトルからコルク栓を飛び出させて押し上げるためにしばしば利用される。第二の方法は、ボトルの上端から見て、コルク栓をボトルに相対して反時計回り方向にねじることである。この方法は、穏やかなボトルの開放、コルク栓の着脱およびガス損失の最小化を提供するためにしばしば利用される。有利に、ストリップ２６が取り除かれた後は、これらの方法のどちらかにより蓋２２を閉位置から開位置へ動かすことができる。
【００３２】
第一の（縦方向の）開放方法における移動は、第一カム面３２および第二カム面４４の縦方向の分離を引き起こす。第二の（ねじりの）開放方法において、第一カム面３２および第二カム面４４は互いに滑り合い、内側部２４および外側部２８を閉位置から開位置に正方向に進める働きをする。これにより、利用者にとって簡単で直感的な蓋２２をもたらし、顧客の蓋２２への支持、また既知のコルク栓蓋への代替の観点において、大きな利益をもたらす。
【００３３】
同様に、利用者がボトル２０を再シールしたければ、蓋２２をボトル２０の口に適用して外側部に下向きの圧力を掛けるだけでよい。これは、コルク栓または他のストッパーを再適用する方法にも有利である。ボトル２０を開放するには第一の方法が利用され、内側部２８および外側部２４が閉位置に相対して回転しない場合は、閉止過程は、外側部２４を内側部２８に向けて押すことを含む。
【００３４】
第二のねじる開放方法が利用される場合は、内側部２８および外側部２４は閉位置に相対して回転し、そして閉止の間は第一カム面３２および第二カム面４４は互いに影響し合い、内側部２８に相対した外側部２４のねじる動きを比較的小さく（わずか４０°）誘導するため、ボトル２０は外側部２４を閉位置に誘導する。当然のことながらこれは、不慣れな利用者が蓋２２を直感的に開放すること、また任意の特定の指示または訓練を必要とすることなく蓋２２を再シールすることを許容する。閉位置にある蓋２２は、最初の開放時に起こる圧力の初期解放の後に、炭酸飲料のボトルを再シールするのに適している。
【００３５】
先述のように、ストリップ２６は、外側部２４を閉位置から開位置へ動かすことができるように、最初に取り除かれなければならない。ストリップ２６は、開けられていないボトル２０の開封の明示性を提供する。ストリップ２６は、蓋２２の縦方向の強度および輪の強度を増加させる。ストリップ２６は、ＣＥＴＩＥバンドの下でボトルに安全に嵌合し、ボトルの初期の（比較的高い）加圧に耐えるのに十分な付加的なレベルのシールの安全性を提供する。
【００３６】
シールストリップ２６は、外側部２４の閉位置から開位置への動きと反対の方向に剥がせる（巻き取れる）ように配置され、第二の“ねじり”開放方法においては、蓋２２が不用意にねじれて解放しないようにする。ストリップ２６の解放はまた、コルク栓をスパークリングワインボトルから取り除く前に実行しなければならない、ミュズレまたはワイヤカゴの取り除きといくらか似ているため、さらに利用者の親しみ易さおよび受容を促す。また、ストリップ２６がボトル２０から完全に取り除かれることで、例えばスクリューキャップ蓋の除去の後にボトルの首部上に残る一種の改竄表示デバイスを有するソフトドリンク等の製品を連想させることを防ぐことができる。
【００３７】
内側部２８’の第二の態様は、図１３〜１６を参照して説明される。内側部２８の第一の態様に関連して説明した同様の特徴は、同様の参照番号で示される。内側部２８’は、上記で説明されたものと類似しているが、第一カム面３２および第三カム面３４は、細い線６０で表される領域を取り除くことにより効率的に省略される。これにより、第一カム面３２の長手寸法は、約７ｍｍに減らされる。結果的に、第一カム面３２および第二カム面４４は、開位置の場合に嵌合しておらず、したがって、内側部２８および外側部２４が開位置においてお互いに回転できるようになる。しかしながら、第一の態様と同様に、開位置における外側部２４の内側部２８方向に掛る下向きの圧力は、最終的に第一カム面３２および第二カム面４４を互いに影響させて閉位置まで戻すことができる。
【００３８】
内側部２８’’の第三の態様は、図１７を参照して説明される。内側部２８の第一の態様に関連して説明された同様の特徴は、同様の参照番号で示される。内側部２８’’は、上記で説明されたものと類似しているが、ストップ４０のそれぞれは、外側部２４が内側部２８から偶発的に持ち上がることを防止する、延伸した下部６０を有する。閉位置において、外側部２４の内側の最下リム（rim）は、下部６０の最下端の下に静止するので、偶発的な持ち上がりが防止できる。結果として、外側部２４および下部６０の間に存在する力は、外側部２４の内側部２８に相対した偶発的な持ち上がりに抵抗する。言い換えれば、外側部２４を、内側部２８から解放し、閉位置から開位置へと動かすための意図的な上向きの力を必要とする。
【００３９】
ポリエチレン材料は、先端部上に付勢するのに十分な可撓性を有し、ＣＥＴＩＥバンドに損傷がなく、先端部上にぴったりと適合するための復元に十分な弾力性を有するため、蓋２２は、従来のボトリング器具を利用してボトル２０に適用される。特に、ストリップ２６は、らせん方向の弱化線を含み、それは手動で剥離して取り除く時には破れるが、ボトル２０に適用する時には破れない。
【００４０】
本発明は、好ましい態様を参照して説明したが、本発明は当業者により多数の他の形態の態様で実現されてもよい、例えば、第一カム面および第二カム面、またプル‐ストリップの方向は、上記に示されたのと逆であってもよい。代替的に、第三カム面および第四カム面は、第一カム面および第二カム面と反対方向に傾斜されてもよい。さらに代替的に、第一、第二および／または第三および第四カム面が湾曲していてもよい。さらに代替的に、カム面は、ノッチまたは同様の開位置に到達したことを示すものを包含してもよい。蓋２２はまた、ポリプロピレンなどの、他のポリオレフィンで作られてもよい。
【図１】
2013502354.tif 000003
【図２】
2013502354.tif 000004
【図３】
2013502354.tif 000005
【図４】
2013502354.tif 000006
【図５】
2013502354.tif 000007
【図６】
2013502354.tif 000008
【図７】
2013502354.tif 000009
【図８】
2013502354.tif 000010
【図９】
2013502354.tif 000011
【図１０】
2013502354.tif 000012
【図１１】
2013502354.tif 000013
【図１２】
2013502354.tif 000014
【図１３】
2013502354.tif 000015
【図１４】
2013502354.tif 000016
【図１５】
2013502354.tif 000017
【図１６】
2013502354.tif 000018
【図１７】
2013502354.tif 000019
【国際調査報告】
2013502354.tif 000020
2013502354.tif 000021
2013502354.tif 000022